(57)【要約】【課題】通水性を有する構造体や、自然水を貯留する構造体、あるいは水上に浮かべ、また水中に沈める構造体、その他各種用途の構造体の構築に使用することができる新規な構築体の提供を図る。【解決手段】構築体の骨格となる柱体を、所定間隔を保ってその上下両端において固定化し、当該柱体で区画される各空間部分に、合成樹脂で製した既存の空間形成用ブロックを収装すると共に、当該収装形態を、空間形成用ブロックの外面部分が前記した柱体の外面に接触または近接させるように成し、これにより、地震等発生に基づく当該柱体の振れ動きが当該空間形成用ブロックの接触に基づき緩和吸収されるように構成する。【選択図】  図１
2016216986.tif 000002
【特許請求の範囲】
【請求項１】
構築体の骨格となる柱体を、所定間隔を保ってその上下両端において固定化し、当該柱体で区画される各空間部分に、合成樹脂で製した既存の空間形成用ブロックを収装すると共に、当該収装形態を、空間形成用ブロックの外面部分が前記した柱体の外面に接触または近接させるように成し、これにより、地震等発生に基づく当該柱体の振れ動きが当該空間形成用ブロックの接触に基づき緩和吸収されるように構成した構築体。
【発明の詳細な説明】
【技術分野】
【０００１】
本発明は、通水性を有する構造体や自然水を貯留する構造体、あるいは水上に浮かべ、また水中に沈める構造体、その他各種用途の構造体の構築に使用することができる構築体に関する。
【背景技術】
【０００２】
従来、構築体の内部に収装して例えば雨水貯留用として機能させる等、所定の空間形成用ブロックとしては各種のものが存在する（例えは特許文献１乃至４参照。)。
【０００３】
そして、これは地下貯水槽の構築用として（例えば特許文献５参照。）、堤防構築用として（例えば特許文献６参照。）、水路構築用として（例えば特許文献７参照。）等、各種用途の構築用ブロックとして用いられている。
【先行技術文献】
【特許文献】
【０００４】
【特許文献１】特開２００８−２０２３１０号公報
【特許文献２】特開２０１２−０５７３８８号公報
【特許文献３】特開２０１３−０７９５２４号公報
【特許文献４】特開２０１４−２４０５９３号公報
【特許文献５】特開２００１−１０７４０３号公報
【特許文献６】特開２００７―０８５１１０号公報
【特許文献７】特開２００１−０２６０７６号公報
【発明の概要】
【発明が解決しようとする課題】
【０００５】
上記したような空間形成体は、これ自体を積み上げて積層構築化するものであるため、強度的な問題がある。これを解消するために、単純に補強用柱を設けた場合、当該柱は構築体の全高に亘る極めて長いものを必要とするため、激しく揺れ動いた場合、座屈等を生じて破損し易いというような問題が必然伴うことを余儀なくされた。
【０００６】
本発明は、このような問題の発生を解消化した、新規の構築体の提供を図ったものである。
【課題を解決するための手段】
【０００７】
本発明は請求項１に記載のように、構築体の骨格となる柱体を、所定間隔を保ってその上下両端において固定化し、当該柱体で区画される各空間部分に、合成樹脂で製した既存の空間形成用ブロックを収装すると共に、当該収装形態を、空間形成用ブロックの外面部分が前記した柱体の外面に接触または近接させるように成し、これにより、地震等発生に基づく当該柱体の振れ動きが当該空間形成用ブロックの接触に基づき緩和吸収されるように構成した構築体に係る。
【発明の効果】
【０００８】
本発明は請求項１に記載のような構成の採用に基づき、柱体に依り全体が支持状態に保たれるため、地震等の発生に基づく横揺れ及び縦揺れに対する極めて強固な堅牢性を発揮させることができる。更に、柱体自体も、合成樹脂で製した既存の空間形成用ブロックに接触または近接させるように構成してあるから、柱体が横揺れした場合、その振動は空間形成用ブロックによって受け止められ、また当該空間形成用ブロックは合成樹脂製のものであるため、その受け止めは弾力的に行われる。すなわち、当該柱体の横揺れの振幅が大きい場合、その揺れ動き力は空間形成用ブロックを変形させる力として作用する(空間形成用ブロックの弾力性に基づく)。従って、これを直接的に停止させるような剛的受け止めと異なり、空間形成用ブロックを変形させる弾力的受け止め力として作用させるため、当該受け止めにより柱体が折れたり傷ついてしまったりするような事態発生を未然に防止する。
【図面の簡単な説明】
【０００９】
【図１】本発明の説明用縦断面図である。
【図２】同上説明用横断面図である。
【図３】柱体の振れ止め形態を表した説明用略図である。
【図４】本発明の他の実施例を表した説明用縦断面図である。
【発明を実施するための形態】
【００１０】
本発明は、通水性を有する構造体や自然水を貯留する構造体、あるいは水上に浮かべ、また水中に沈める構造体、その他各種用途の構造体の構築目的を達成するための構築体に関する。
【００１１】
図１及び図２は本発明の構築体を表したものである。同図において、１は底面部コンクリート打設面、２は天面コンクリート打設面、３は両コンクリート打設面１，２間に立設した柱体である。当該柱体３は目的とする構築体の骨格となる存在であり、多数の柱体を、夫々所定間隔を保った区画部を形成するようにして対向させた状態で、その上下両端において固定化してある。
【００１２】
Ａは合成樹脂で製した既存の空間形成用ブロックであって、上記した柱体で形成される区画部分内(空間部分)に収装することによって、貯水用等用の空間が形成されるように構成してある。Ｂは遮水用シートであって、上記した柱体を含む全体部分を包み込むことにより、すなわち、貯水空間全体を包み込むことにより、内臓水の漏洩が阻止されるように構成してある。Ｃは上面に形成した出入り孔である。
【００１３】
ところで、上記した空間形成用ブロックＡであるが、これは合成樹脂製のものであれば、既存のブロックの如何なるものであっても可とする。これを具体的に例示すれば、特許文献４(特開２０１４−２４０５９３号公報)、特許文献５(特開２００１−１０７４０３号公報)、特許文献６(特開２００７―０８５１１０号公報)、特許文献７(特開２００１−０２６０７６号公報)に掲載されているブロックが挙げられるが、勿論これに限定されるものではない。
【００１４】
そして、上記した空間形成用ブロックＡと柱体３との関係であるが、これは、空間形成用ブロックＡの外面部分が柱体３の外面に接触または近接させるように成し、これにより、地震等発生基づく当該柱体の振れ動きが当該空間形成用ブロックＡの接触に基づき緩和吸収されるように構成することが重要である。
【００１５】
すなわち、柱体３を自由な状態で立設した場合、地震発生に基づき強い横揺れが生じた際、その中央部分で座屈が生じ、折れ曲がったり、断絶したりするような事態が予想される。これを防止するために、本発明は、空間形成用ブロックＡの外面部分を柱体３の外面に接触または近接させるように成してある。これより、柱体３は空間形成用ブロックＡにより、その合成樹脂製であることに基づき、弾力性を具えた抱持が成され、例えば金属製に依る剛的抱持の場合に生じる揺れ動きの遊びの無さに基づく折損と言うような事態発生を未然に防止するように構成してある(図３参照。)。
【００１６】
ところで、上記した柱体３であるが、図示の実施例にあっては角柱とてあるが、円柱状のものであっても良い。更に、作業性の観点を度外視すれば、三角形状、楕円形状、若しくは所要の多角形状等任意なものであって可とする。
【００１７】
図４は本発明の他の実施例を表したものであって、これは各柱体の間に前後方向及び左右方向に連結する梁材４を架設するよう構成したものである。本発明はこのような形態で実施する場合もある。
【符号の説明】
【００１８】
１  底面部コンクリート打設面
２  天面コンクリート打設面
３  柱体
４  梁材
Ａ  空間形成用ブロック
Ｂ  遮水用シート
Ｃ  出入り孔
【図１】
2016216986.tif 000003
【図２】
2016216986.tif 000004
【図３】
2016216986.tif 000005
【図４】
2016216986.tif 000006